(57)【要約】【課題】簡単な操作によって引出しのロック及びその解除を可能とする踏み台機能付キャビネットを実現する。【解決手段】回動軸３０を中心にして自重により前方側が下方になるようにロック部材２１が回動し、ロック部材２１の係止部３１がロック金具２０の係合部２４に係合してロックするとともに、ノック部３２が、ロック金具２０の一部に当たってノック音を発生し、ロックされたことを使用者に知らせる。ロック解除レバー２７を上方に持ち上げると、ロック部材２１が回動軸３０を中心にして回動し、ロック部材２１の係止部３１がロック金具２０の係合部２４から下方に離れてロックが解除され、引出し３をキャビネット本体２内に移動して収納することができる。【選択図】図１
2010252844.tif 000002
【特許請求の範囲】
【請求項１】
キャビネット本体と、上面に踏み台板を備えた引出しと、引出しを引出した状態に保持するためのロック機構を備えた踏み台機能付きキャビネットにおいて、ロック機構はロック部材が回動軸を中心に回動してロック金具にロックされるものであり、ロック解除レバーが引出し前面に配置されていることを特徴とする踏み台機能付き引出しキャビネット。
【請求項２】
ロック解除レバーを上方に回動させることにより、ロックを解除することを特徴とする請求項１に記載の踏み台機能付きキャビネット。
【請求項３】
ロック解除レバーがロック部材と一体的に形成されていることを特徴とする請求項１〜２のいずれかに記載の踏み台機能付きキャビネット。
【請求項４】
ロック金具に形成したロック用の係合部に、ロック部材の一部が係合することを特徴とする請求項１〜３のいずれかに記載の踏み台機能付きキャビネット。
【請求項５】
ロック用の係合部が、ロック金具の前端に形成されていることを特徴とする請求項４に記載の踏み台機能付きキャビネット。
【請求項６】
ロック部材の先端に、ノック部が形成されており、ノック部は、ロック金具の係合部にロック部材の一部が係合する時に、ロック金具に当たってノック音を発生することを特徴とする請求項３〜５のいずれかに記載の踏み台機能付きキャビネット。
【請求項７】
ロック解除レバー上方の引出し前面パネルの一部が切欠かれていることを特徴とする請求項１〜６のいずれかに記載の踏み台機能付きキャビネット。
【発明の詳細な説明】
【技術分野】
【０００１】
本発明は、踏み台機能付キャビネットに関するものである。
【背景技術】
【０００２】
従来、キッチンキャビネット、洗面化粧台キャビネットなどにおいて、背の低い使用者がアッパーキャビネットの収納物を取り出す場合や、子供が使用する場合のために、最下段の引出し等の収納部（足元収納部）を収納かつ踏み台として使用可能とした踏み台機能付キャビネットが利用されている。
【０００３】
このような踏み台機能付キャビネットでは、最下段の引出しは、例えば、上下方向に開閉できる踏み台板が形成されており、この引出しを引き出した状態で、転倒防止のためにロック装置によりロックして移動しないようにしてから、踏み台板の上に利用者が乗って踏み台として使用することができる。
【０００４】
このような引出しのロック装置を備えた踏み台機能付キャビネットにおいて、引出しが引出し限界に達したときに、引出し側面に揺動自在に取付けられたロック装置が、キャビネット本体に取付けられたストッパーに引っ掛かることによりロックされ、引出しの両側面に取付けられロック解除部をそれぞれ持ち上げることによりロックを解除するものが知られている（特許文献１参照）。  
【先行技術文献】
【特許文献】
【０００５】
【特許文献１】特開２００６−３４６１５６号公報
【発明の概要】
【発明が解決しようとする課題】
【０００６】
上記従来の踏み台機能付キャビネットでは、転倒防止用に引き出した状態ではロックがかかる構成となっているが、そのロックを外す時はロック解除部が左右別々となっているため、引出しの両側にある解除レバーをほぼ同時に操作しなければ動かすことができなかった。
【０００７】
特に、間口が大きいキャビネットの場合は、子供などの使用者が両側のレバーを同時に操作することは困難であった。片側のみにロック解除部を設けた場合は、片側がフリーとなる、引出しが急激に移動する可能性もあり、転倒防止上、安全性は担保できないという問題がある。
【０００８】
本発明は、上記従来の踏み台機能付キャビネットの問題点を解決することを目的とするものであり、簡単な操作によって引出しのロック及びその解除を可能とする踏み台機能付キャビネットを実現することを課題とする。
【課題を解決するための手段】
【０００９】
本発明は上記課題を解決するために、キャビネット本体と、上面に踏み台板を備えた引出しと、引出しを引出した状態に保持するためのロック機構を備えた踏み台機能付きキャビネットにおいて、ロック機構はロック部材が回動軸を中心に回動してロック金具にロックされるものであり、ロック解除レバーが引出し前面に配置されていることを特徴とする踏み台機能付き引出しキャビネットを提供する。  
【００１０】
ロック解除レバーを上方に回動させることにより、ロックを解除する構成とすることが好ましい。
【００１１】
ロック解除レバーがロック部材と一体的に形成されている構成とすることが好ましい。
【００１２】
ロック金具に形成したロック用の係合部に、ロック部材の一部が係合する構成とすることが好ましい。
【００１３】
ロック用の係合部が、ロック金具の前端に形成されている構成とすることが好ましい。
【００１４】
ロック部材の先端に、ノック部が形成されており、ノック部は、ロック金具の係合部にロック部材の一部が係合する時に、ロック金具に当たってノック音を発生する構成とすることが好ましい。
【００１５】
ロック用の係合部が、ロック金具の前端に形成されている構成とすることが好ましい。
【００１６】
ロック解除レバー上方の引出し前面パネルの一部が切欠かれている構成とすることが好ましい。
【発明の効果】
【００１７】
本発明に係る踏み台機能付キャビネットによれば、引出しは引き出した位置で転倒防止用のロック機構によりロックがかかるので、使用者は引出しを踏み台として安全に使用することができ、ロック解除レバーが引出し前面に配置されているので簡単にロック解除ができる。
【図面の簡単な説明】
【００１８】
【図１】本発明に係る踏み台機能付キャビネットの実施例１を説明する図であり、（ａ）は引出しの収納状態及び要部を説明する図であり、（ｂ）は引出しを引き出してロックした状態を示す図である。
【図２】（ａ）は実施例１の形態において、引出しの引き出し途中の状態を示す斜視図であり、（ｂ）はその要部を説明する図である。
【図３】（ａ）は実施例１の形態において、引出しを引き出してロックした状態を示す斜視図であり、（ｂ）はその要部を説明する図である。
【図４】実施例１の要部を説明する図であり、（ａ）及び（ｂ）はロック金具の斜視図及び作用を説明する側面図を示し、（ｃ）はロック部材及びロック解除レバーを説明する図であり、（ｄ）はロック部材の要部の斜視図及び側面図である。
【図５】実施例１の要部を説明する図であり、（ａ）及び（ｂ）は後端に係合部を有するロック金具の斜視図及び作用を説明する側面図を示し、（ｃ）及び（ｄ）は別の態様のロック金具の斜視図及び作用を説明する側面図を示す。
【図６】本発明に係る踏み台機能付キャビネットの実施例２を説明する図であり、（ａ）は引出しの収納状態を示し、（ｂ）は引出しを引き出してロックした状態を示す図である。
【図７】（ａ）は実施例２の形態において、引出しの引き出し途中の状態を示す斜視図であり、（ｂ）はそのロック部材及びロック解除レバーを説明する図である。
【図８】（ａ）は実施例２の形態において、引出しを引き出してロックした状態を示す斜視図であり、（ｂ）はその正面図を示す図である。
【発明を実施するための形態】
【００１９】
本発明に係るキャビネットを実施するための形態を実施例に基づき図面を参照して、以下説明する。
【実施例１】
【００２０】
図１〜５は、本発明に係る踏み台機能付きキャビネットの実施例１を説明する図である。本発明の踏み台機能付きキャビネット１は、キャビネット本体２と、上面に踏み台板４を備え、踏み台と収納を兼用した引出し３と、引出し３を引出した状態に保持するためのロック機構５を備えている。
【００２１】
キャビネット本体２は、キッチンの流し台や洗面台の下に設けられたキャビネットの本体などであり、図１、図２（ａ）、図３（ａ）において想像線（２点鎖線）で示すが、左右の側壁６、後壁７、頂壁８などを備えている。左右の側壁６は、それぞれその内面には引出し３のガイドレール９が水平に取り付けられている。
【００２２】
引出し３は、キャビネット本体２の最下段の収納スペース内に引き出し可能に設けられている。引出し３は、左右の側板１０と、底板１１と、踏み台板４と、扉部１２と、車輪１３を備えている。左右の側板１０は、それぞれその外面には、キャビネット本体２のレール９に摺動可能に嵌合するスライドレール１４が水平に取り付けられている。
【００２３】
引出し３のスライドレール１４は、キャビネット本体２のガイドレール９の前端よりも前方に移動しないように抜け止めされており、これにより、引出し３ の前方への最大引出し位置を規定している。
【００２４】
踏み台板４は、その一部または全部がヒンジ１５により上方に向けて開けるように設けられている。扉部１２は、左右の側板１０の間に取り付けられた前板１６と、前板１６の前面に調整板１７を介して取り付けられた引出し前面パネル１８とを備えている。調整板１７の下方には、前板１６及び引出し前面パネル１８との間にスペース１９が形成されている。             
【００２５】
ロック機構５は、ロック金具２０とロック部材２１とから構成されている。ロック金具２０は、図４（ａ）、図５（ａ）に示すように、底部２２と側部２３とからなり断面がＬ型をした杆材であり、キャビネット本体２の左右の側壁６の内面にネジなどで水平に固定される。ロック金具２０には、その長手方向の前端、あるいはそれに加えて前端と後端の間の中間部、後端に係合部２４を形成してもよい。
【００２６】
図４（ａ）に示すように、ロック金具２０の前端の係合部２４は、底部２２の前端が上方に屈曲して形成されている。引出し３の不使用時における不意の飛出し防止策として、ロック金具２０の後端に係合部２４を設けてもよい。図５（ａ）、（ｂ）に示すように、ロック金具２０の後端の係合部２４は、底部２２の後端が上方に屈曲して形成されている。
【００２７】
この場合、後端の係合部２４は、後壁７から離して設けられ、引出し３がキャビネット本体２内に完全に収納されロックされた際には、図５（ｂ）に示すように、ロック部材２１の係止部３１、ノック部３２及びガイドローラ３３が係合部２４の背後に入り込む。図５（ｃ）、（ｄ）は、ロック金具２０の別の態様を示すものであり、後端の係合部２４は、底部２２が切り欠かれて上方に屈曲して形成されている。
【００２８】
ロック部材２１は、図４（ｃ）に示すように、左右側部２５と前部２６とから全体的にコの字型をしており、前部２６のほぼ中央にはロック解除レバー２７が取り付けられている。ロック解除レバー２７は、その左右垂直部２８と水平把持部２９からなり、左右垂直部２８の上端がロック部材２１の前部２６に固定されている。ロック部材２１の左右側部２５は、回動軸３０により引出し３の左右側板１０の外側面に回動可能に取り付けられている。
【００２９】
ロック部材２１の左右側部２５は、それぞれその後端には、図４（ｄ）に示すように、係止部３１及びノック部３２が形成され、さらに、係止部３１の外側面にガイドローラ３３が回転可能に設けられている。係止部３１は、ロック金具２０の係合部２４に係合しロック可能であり、またガイドローラ３３は引出し３を前後に移動する際にロック金具２０の底部２２の下面に当接して転動し、ロック部材２１をロック金具２０に対して滑らかに移動可能に案内することができる。
【００３０】
ノック部３２は、係止部３１から水平に折り曲げられた部分３４が、さらに後方へ屈曲して伸びるようして形成されており、ロック金具２０の係合部２４にロック部材２１の係止部３１が係合してロックする時に、ロック金具２０の一部に当たってノック音を発生し、ロックされたことを使用者に知らせることができる。なお、本実施例１では、ロック部材２１は細幅の板材で構成しているが、線材で構成することもできる。
【００３１】
（作用）
以上の構成からなる実施例１の踏み台機能付きキャビネット１の作用を以下説明する。ロック金具２０の後端に係合部が設けられていない構成の場合は、引出し３がキャビネット本体２内に収納されている状態から、引出し３を踏み台として使用する又は収納物を入れたり出したりする際には、使用者は、引出し３を単に前方に引いて、図２（ａ）、（ｂ）に示すように、ガイドローラ３３をロック金具２０の底部２２の下面に沿って転動させて引き出せばよい。
【００３２】
ロック金具２０の後端に係合部２４が設けられている構成の場合は、図５（ｂ）に示すように、係合部２４にロック部材２１が係合した状態では、引出し３は不意に開くことはない。引出し３を踏み台として使用する又は収納物を入れたり出したりする際には、ロック解除レバー２７を操作してロック部材２１を、図１（ａ）に示すように時計方向に回動することで、ガイドローラ３３と、後端の係合部２４との係合が解除されて引出し３が引出し可能な状態となる。この状態から、図２（ａ）、（ｂ）に示すように、ガイドローラ３３をロック金具２０の底部２２の下面に沿って転動させて引き出す。            
【００３３】
そして、ロック金具２０の後端に係合部２４が設けられている場合及びいない場合のいずれの場合であっても、図１（ｂ）に示すように、引出し３を前方への最大引出し位置まで引出す。すると、ロック部材２１は、回動軸３０を中心にして自重によりロック解除レバー２７側が下方になる方向に（図１（ｂ）において反時計方向に）回動し、ロック部材２１の係止部３１は、上方に回動してロック金具２０の係合部２４に係合してロックする（図３（ａ）、（ｂ）参照）。                          
【００３４】
この際、ノック部３２は、ロック金具２０の一部に当たってノック音を発生し、ロックされたことを使用者に知らせる。この状態では、踏み台機能付きキャビネット１は、使用者が踏み台板４上に載っても、引出し３が急に移動してキャビネット本体２内に引っ込むようなことがないので、使用者は転倒する危険性がなく安全である。
【００３５】
また、引出し３のスライドレール１４がキャビネット本体２のガイドレール９から抜け出ないように構成されているので、引出し３ がキャビネット本体２から抜け出るようなこともない。従って、使用者は、安心して踏み台板４上に載ることが可能となる。また、この状態では、図１（ｂ）に１点鎖線で示すように、踏み台板４を上方に回転して引出し３の収納部を開くことができる。
【００３６】
引出し３をキャビネット本体２内に引き込めて収納する際には、図１（ｂ）において、ロック解除レバー２７を上方に持ち上げる。すると、ロック部材２１は、回動軸３０を中心にして時計方向に回動し、ロック部材２１の係止部３１が、ロック金具２０の係合部２４から下方に離れてロックが解除される。これにより、引出し３をキャビネット本体２内に引き込めるように移動して収納することができ、ロック部材２１は、ロック金具２０に対して図４（ｂ）示すような状態となる。また、後端に係合部２４を有する場合は、図１（ａ）において、さらに図５（ｂ）に示すように係合部２４にロック部材２１を係合させてロック状態とすることができる。
【実施例２】
【００３７】
図６〜８は、本発明に係る踏み台機能付きキャビネットの実施例２を説明する図である。この実施例２の踏み台機能付きキャビネット４０は、実施例１の踏み台機能付きキャビネット１とほぼ同じ構成、作用であるが、ロック解除レバー及び引出し前面パネルなど、一部の構成において相違する。実施例２について、実施例１と異なる構成を中心にして説明する。実施例１と同じ構成の部分については、同じ符号を使用する。
【００３８】
実施例２においては、引出し前面パネル４１は、図６、図７（ａ）、図８に示すように、その中央部で下縁から切り欠かれ、切欠部４２が形成されている。ロック解除レバー４３は、図７（ｂ）に示すようにコの字型に形成されており、ロック部材２１’の前部のほぼ中央に、引出し前面パネル４１の切欠部４２を通して前方に延長するように突設されて一体とされている。ロック部材２１’の左右側部２５は、図７（ｂ）に示すように、前部が水平でありその途中から後端に向けて上方に向けて傾斜するように曲げられて形成されている。なお、ロック部材２１’は、上記のように左右側部２５が曲げられた構成であっても、曲げられない構成であってもよい。
【００３９】
要するに、実施例２のロック解除レバー４３は、引出し３の前面に配置されるが、ロック解除レバー４３が前方に突出可能なように、引出し前面パネル４１の下縁から上方に向けて切欠部４２が形成されているので、実施例１のロック解除レバー２７のように、左右垂直部２８を設けて引出し前面パネル４１の下方から水平把持部２９を前方に突設する構成とする必要はない。
【００４０】
引出し３を、踏み台として使用したり、収納物を入れたり取り出したりする際には、キャビネット本体２内に収納された状態から前方への最大引出し位置まで引き出す。ロック金具２０の後端に係合部２４が形成されている場合は、図６（ａ）に示すように、キャビネット本体２内に収納された状態において後端の金具２０の係合部２４からロック部材２１’のロックを解除してから（この点は実施例１の図１（ａ）に示す作用と同様）、前方への最大引出し位置まで引き出す。
【００４１】
ロック金具２０の後端に係合部２４が形成されている場合及びいない場合のいずれの場合も、上記のとおり、引出し３を、前方への最大引出し位置まで引き出すと、図８（ａ）、（ｂ）に示すように、ロック部材２１’は回動軸３０を中心にして自重によりロック解除レバー４３側が下方になる方向に回動する。
【００４２】
そして、ロック部材２１’の左右両端の係止部３１は、上方に回動してロック金具２０の係合部２４に係合しロックするとともに、ノック部３２は、ロック金具２０の一部に当たってノック音を発生し、ロックしたことを使用者に知らせる。
【００４３】
ロックを解除して、引出し３をキャビネット本体２内に移動して収納する場合は、図６（ｂ）、図８（ｂ）（２点鎖線のロック解除レバー４３を参照）に示すように、ロック解除レバー４３を切欠部４２内で上方に持ち上げ、回動軸３０を中心にして、ロック部材２１’の左右両端のロック係止部３１を下方に回動させてロック金具２０の係合部２４への係合からはずし、ロックを解除する。実施例２のその他の構成及び作用は、実施例１と同じである。なお、本実施例２では、ロック部材２１’は細幅の板材で構成しているが、線材で構成することもできる。
【００４４】
以上、本発明に係る踏み台機能付きキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係る踏み台機能付きキャビネットは上記のような構成であるから、キッチンキャビネット、洗面化粧台キャビネット、その他一般収納用のキャビネットなどにも適用可能である。
【符号の説明】
【００４６】
１  踏み台機能付きキャビネット
２  キャビネット本体
３  引出し
４  踏み台板
５  ロック機構
６  キャビネット本体の左右の側壁
７  キャビネット本体の後壁
８  キャビネット本体の頂壁
９  ガイドレール
１０  引出しの左右の側板
１１  引出しの底板
１２  引出しの扉部
１３  車輪
１４  スライドレール
１５  ヒンジ
１６  引出しの前板
１７  調整板
１８  引出し前面パネル
１９  スペース
２０  ロック金具
２１、２１’  ロック部材
２２  ロック金具の底部
２３  ロック金具の側部
２４  ロック金具の係合部
２５  ロック部材の左右側部
２６  ロック部材の前部
２７  ロック解除レバー
２８  ロック解除レバーの左右垂直部
２９  ロック解除レバーの水平把持部
３０  回動軸
３１  ロック部材の係止部
３２  ロック部材のノック部
３３  ガイドローラ
４０  実施例２の踏み台機能付きキャビネット
４１  引出し前面パネル
４２  切欠部
４３  ロック解除レバー
【図１】
2010252844.tif 000003
【図２】
2010252844.tif 000004
【図３】
2010252844.tif 000005
【図４】
2010252844.tif 000006
【図５】
2010252844.tif 000007
【図６】
2010252844.tif 000008
【図７】
2010252844.tif 000009
【図８】
2010252844.tif 000010